(57)【要約】【課題】仕様変更等に対する自由度を高めることができるとともに、表示制御装置を有効に利用することができる遊技機を提供する。【解決手段】第１のスイッチング回路２２ａ〜２２ｄが接続されている第１のグループの出力端子ＴＥ１〜ＴＥ４と、第２のスイッチング回路２２ｅ〜２２ｍが接続されている第２のグループの出力端子ＴＥ５〜ＴＥ１２を、表示制御基板２０ａに設ける。出力端子ＴＥ１〜ＴＥ４には、第１の接続態様もしくは第２の接続態様で表示手段を接続し、出力端子ＴＥ５〜ＴＥ１２には、第３の接続態様もしくは第４の接続態様で表示手段を接続する。表示制御回路２１により、出力端子ＴＥ１〜ＴＥ１２の接続態様に基づいてスイッチング回路２２ａ〜２２ｍを制御する。【選択図】        図２
2004344525.tif 000002
【特許請求の範囲】
【請求項１】
表示手段と、表示制御基板とを備え、
表示制御基板には、第１のグループの出力端子と、第２のグループの出力端子と、第１のグループの各出力端子に接続される第１のスイッチング回路と、第２のグループの各出力端子に接続される第２のスイッチング回路と、第１及び第２のスイッチング回路を遊技状態に応じて制御する表示制御手段とが配設され、
第１のグループの各出力端子は、第１の接続態様、もしくは第２の接続態様で表示手段に接続され、
第２のグループの各出力端子は、第３の接続態様、もしくは第４の接続態様で表示手段に接続され、
表示制御手段は、第１のグループの出力端子が、第１の接続態様もしくは第２の接続態様のどちらで接続されているか、また、第２のグループの出力端子が、第３の接続態様もしくは第４の接続態様のどちらで接続されているかに対応して第１及び第２のスイッチング回路を制御する遊技機。
【発明の詳細な説明】
【０００１】
【発明の属する技術分野】
本発明は、表示手段を備える遊技機に関する。
【０００２】
【従来の技術】
遊技機、例えば、パチンコ機には、主制御装置、表示制御装置、表示手段等が設けられている。一般的に、主制御装置は主制御基板、表示制御装置は表示制御基板として構成される。表示手段としては、発光素子（ＬＥＤ、７セグメント表示器等）等が用いられている。遊技機では、表示手段を用いて、例えば、遊技状態に応じた演出や遊技者への報知が成される。
主制御装置には、主制御回路や記憶回路等が設けられている。主制御回路は、始動信号や入賞信号等の入力信号や記憶回路に記憶されている制御プログラム等に基づいて、表示制御装置にコマンド信号を出力する。
表示制御装置には、表示手段を点灯／消灯制御するスイッチング回路（駆動回路）、表示制御回路等が設けられている。表示制御回路は、主制御装置から入力されたコマンド信号に基づいてスイッチング回路をオン／オフ制御する。
表示手段は、ダイナミック点灯回路やスタティック点灯回路によって表示制御装置のスイッチング回路に接続されている。
【０００３】
従来の遊技機に設けられている表示制御装置の一例を、図１０、図１１に示す。（特許文献１参照）
従来の表示制御装置（表示制御基板）は、駆動用ＩＣ１００を備えている。駆動用ＩＣ１００は、所定の数の入力端子と、出力端子Ｐ００〜Ｐ３２を備えている。入力端子には、“ダイナミック点灯モード”と“スタティック点灯モード”を切り換えるモード切換信号が入力される端子ＳＥが設けられている。
表示手段をスタティック点灯させる場合には、図１０に示すように、駆動用ＩＣ１００の端子ＳＥに電源を接続し（“Ｈ”レベル状態にし）、駆動用ＩＣ１００を“スタティック点灯モード”に設定する。そして、出力端子Ｐ００〜Ｐ３２のいずれか、例えば、出力端子Ｐ００〜Ｐ０７にスタティック点灯回路を接続する。この場合、表示制御手段は、駆動用ＩＣ１００にスタティック点灯用の表示制御信号を出力する。これにより、駆動用ＩＣ１００の出力端子Ｐ００〜Ｐ０７に接続されているスタティック点灯回路により表示手段がスタティック点灯される。
また、表示手段をダイナミック点灯させる場合には、図１１に示すように、駆動用ＩＣ１００の端子ＳＥをＧＮＤに接続し（“Ｌ”レベル状態にし）、駆動用ＩＣ１００を“ダイナミック点灯モード”に設定する。そして、出力端子Ｐ１６〜Ｐ２３のいずれかにダイナミック点灯回路のコモン端子を、出力端子Ｐ２４〜Ｐ３２のいずれかにダイナミック点灯回路のデータ端子を接続する。この場合、表示制御手段は、駆動用ＩＣ１００にダイナミック点灯用の表示制御信号を出力する。これにより、駆動用ＩＣ１００の出力端子Ｐ１６〜Ｐ２３のいずれかにコモン端子が、出力端子Ｐ２４〜Ｐ３２のいずれかにデータ端子が接続されているダイナミック点灯回路により表示手段がダイナミック点灯される。
【０００４】
【特許文献１】
特許第２８６７１７号公報
【０００５】
【発明が解決しようとする課題】
従来の遊技機では、表示制御装置に設けられている駆動用ＩＣ１００を“スタティック点灯モード”に設定した場合には、駆動用ＩＣ１００の出力端子にスタティック点灯回路しか接続することができず、また、駆動用ＩＣ１００を“ダイナミック点灯モード”に設定した場合には、駆動用ＩＣ１００の出力端子にダイナミック点灯回路しか接続することができない。このため、表示装置の仕様変更等に対する自由度が低い。
また、駆動用ＩＣ１００には、遊技機の仕様変更に対応できるように相当数の出力端子が設けられている（図１０、１１では、Ｐ００〜Ｐ３２の３３個）。しかしながら、駆動用ＩＣ１００をスタティック点灯モードに設定する場合、駆動用ＩＣ１００の出力端子Ｐ００〜Ｐ３２の全てにスタティック点灯回路を接続しない仕様も存在する。あるいは、駆動用ＩＣ１００をダイナミック点灯モードに設定する場合、駆動用ＩＣ１００の出力端子Ｐ１６〜Ｐ３２の全てにダイナミック点灯回路を接続しない仕様も存在する。さらに、駆動用ＩＣ１００をダイナミック点灯モードに設定する場合には、少なくとも駆動用ＩＣ１００の出力端子Ｐ００〜Ｐ１５は使用されない。すなわち、従来の遊技機では、駆動用ＩＣ（表示制御装置）を有効に利用することができない。
そこで、本発明は、仕様変更等に対する自由度を高めることができるとともに、表示制御装置を有効に利用することができる遊技機を提供することを目的とする。
【０００６】
【課題を解決するための手段】
前記課題を解決するための本発明の第１発明は、請求項１に記載されたとおりの遊技機である。
請求項１に記載の遊技機では、表示制御基板の出力端子として、第１のスイッチング回路が接続されている第１のグループの出力端子と、第２のスイッチング回路が接続されている第２のグループの出力端子を設けるとともに、第１のグループの各出力端子には、第１の接続態様もしくは第２の接続態様で表示手段を接続し、第２のグループの各出力端子には、第３の接続態様もしくは第４の接続態様で表示手段を接続し、表示制御手段により、第１のグループの出力端子の接続態様及び第２のグループの出力端子の接続態様に基づいて第１及び第２のスイッチング回路を制御する。
これにより、表示制御基板の各出力端子が、第１〜第４の接続態様のいずれかによって表示手段に接続可能である。したがって、表示手段の数や表示態様等の仕様変更に対して、同じ表示制御基板、すなわち、同じ表示制御装置により容易に対応することができる。この場合、仕様変更等に応じて表示制御装置のソフトウエアを変更する必要はあるが、表示制御基板（ハードウエア）を変更する必要がないため、コスト等の面でメリットがある。ここで、遊技機では、表示制御基板等は試験機関等で試験を受けることが義務付けられている場合がある。表示制御基板（ハードウエア）を変更せずに種々の仕様変更に対応できるようにすることにより、仕様変更毎に表示制御基板の試験を試験機関等で受ける必要がなくなり、仕様変更に要する時間を大幅に短縮することができる。また、全ての出力端子が、例えば、スタティック点灯回路あるいはダイナミック点灯回路に接続されるため、表示制御基板に設けられているスイッチング回路等を有効に利用することができる。さらに、表示制御基板の出力端子に空き端子が発生しないため、空き端子への不正な信号の入力等を防止することもできる。
【０００７】
【発明の実施の形態】
以下に、本発明の一実施の形態を図面を参照して説明する。
本発明をパチンコ機として構成した一実施の形態の概略構成図を図１に示す。
図１に示すパチンコ機には、主制御装置１０、表示制御装置２０が設けられている。また、特に図示していないが、主制御装置１０には、パチンコ球が入賞口に入賞した時に入賞口に対応する賞球を払い出す賞球装置を制御する賞球制御装置や、特別入賞口の開閉部材を開閉駆動するソレノイドや、演出用の音を出力するスピーカを制御する音制御装置等が接続されている。そして、各制御装置によって、パチンコ機の動作が制御されている。
【０００８】
主制御装置１０は、通常、主制御基板１０ａとして構成される。
主制御基板１０ａには、ＣＰＵを含む主制御回路１１や、ＲＡＭ、ＲＯＭ等で構成される記憶手段１２、入力端子、出力端子（図示していない。）等が設けられている。パチンコ球が始動ゲートを通過または始動口に入賞したことを検出する始動球検出器から出力される始動信号、パチンコ球が入賞口に入賞したことを検出する入賞検出器から出力される入賞信号等が、入力端子を介して主制御回路１１に入力される。
主制御装置１０の記憶手段１２には、当たり判定用乱数を発生させる当たり判定用乱数プログラムや制御プログラム等が記憶されている。
主制御回路１１は、始動信号、入賞信号、記憶手段に記憶されている制御プログラム等に基づいて、表示制御装置２０等へのコマンド信号を出力端子から出力する。
【０００９】
表示制御装置２０は、通常、表示制御基板２０ａとして構成される。
表示制御基板２０ａには、ＣＰＵを含む表示制御回路（表示制御手段）２１や、スイッチング回路２２ａ〜２２ｍや、入力端子や、出力端子ＴＥ１〜ＴＥ１２が設けられている。スイッチング回路２２ａ〜２２ｍは、出力端子ＴＥ１〜ＴＥ１２に配線パターン等で接続されている。
また、表示基板３０ａが設けられている。表示基板３０ａには、入力端子ＴＬ１〜ＴＬ１２と、入力端子ＴＬ１〜ＴＬ１２に接続されている点灯回路（例えば、スタティック点灯回路、ダイナミック点灯回路）が設けられている。スタティック点灯回路あるいはダイナミック点灯回路には、ＬＥＤ等の表示手段（スタティック点灯用の表示手段あるいはダイナミック点灯用の表示手段）が接続されている。表示基板３０ａの入力端子ＴＬ１〜ＴＬ１２は、表示制御基板２０ａの出力端子ＴＥ１〜ＴＥ１２と接続されている。
なお、以下では、「スタティック点灯回路」や「ダイナミック点灯回路」は、表示手段を含む点灯回路を意味するものとして用いる。勿論、「スタティック点灯回路」や「ダイナミック点灯回路」を、表示手段を含まない点灯回路を意味するものとして用いることもできる。
表示制御回路２１は、主制御装置１０から出力されたコマンド信号に基づいてスイッチング回路２２ａ〜２２ｍに表示制御信号を出力する。表示制御回路２１から出力される表示制御信号に基づいて、スイッチング回路２２ａ〜２２ｍがオン／オフ制御されることによって、表示制御基板２０ａの出力端子ＴＥ１〜ＴＥ１２及び表示基板３０ａの入力端子ＴＬ１〜ＴＬ１２に接続されている点灯回路（スタティック点灯回路あるいはダイナミック点灯回路）が制御され、各表示手段（スタティック点灯用の表示手段あるいはダイナミック点灯用の表示手段）が点灯／消灯制御される。
【００１０】
本実施の形態の表示制御装置２０と、表示装置３０の詳細について、図２〜図９を用いて説明する。
なお、図２〜図９では、表示手段としてＬＥＤ（発光ダイオード）を用い、表示手段をスタティック点灯あるいはダイナミック点灯の表示態様で制御する場合について説明する。
本実施の形態の表示制御基板２０ａには、第１のスイッチング回路２２ａ〜２２ｄ、第２のスイッチング回路２２ｅ〜２２ｍ、出力端子ＴＥ１〜ＴＥ１２、ＧＮＤ端子Ｅ１が配設されている。出力端子ＴＥ１〜ＴＥ４には第１のスイッチング回路２２ａ〜２２ｄが接続され、出力端子ＴＥ５〜ＴＥ１２には第２のスイッチング回路２２ｅ〜２２ｍが接続されている。
本実施の形態では、第１のスイッチング回路２２ａ〜２２ｄとして、ＰＮＰ型トランジスタ（第１導電型のスイッチング素子）が用いられている。各ＰＮＰ型トランジスタのエミッタ端子は、配線パターン等で相互に接続され、ＬＥＤ電源Ａに接続されている。また、各ＰＮＰ形トランジスタのコレクタ端子は、それぞれ配線パターン等で出力端子ＴＥ１〜ＴＥ４（第１のグループの出力端子）に接続されている。
また、第２のスイッチング回路２２ｅ〜２２ｍとして、ＮＰＮ型トランジスタ（第２導電型のスイッチング素子）が用いられている。各ＮＰＮ型トランジスタのエミッタ端子は、配線パターン等で相互に接続され、ＧＮＤ（グランド）端子Ｅ１に接続されている。また、各ＮＰＮトランジスタのコレクタ端子は、それぞれ配線パターン等で出力端子ＴＥ５〜ＴＥ１２（第２のグループの出力端子）に接続されている。
【００１１】
（１）７個×３ブロックのＬＥＤをダイナミック点灯させる場合
まず、図２、図３に示すように、７セグメント表示器３１、３２、３３（１ブロック７個のＬＥＤからなるブロックを３ブロック）をダイナミック点灯させ、２個のＬＥＤ３４、３５をスタティック点灯させる場合について説明する。
表示基板３０ａには、３個の７セグメント表示器３１、３２、３３を構成するＬＥＤを点灯させるダイナミック点灯回路、ＬＥＤ３４及びＬＥＤ３５をそれぞれスタティック点灯させる２個のスタティック点灯回路、入力端子ＴＬ１〜ＴＬ１２、ＧＮＤ端子ＥＬ１が配設されている。
７セグメント表示器３１には、７個のＬＥＤ３１１〜ＬＥＤ３１７、コモン端子ＣＯＭ３１、データ端子３１１Ｋ〜３１７Ｋが設けられている。ＬＥＤ３１１〜ＬＥＤ３１７の各アノードはコモン端子ＣＯＭ３１に接続され、各カソードは各データ端子３１１Ｋ〜３１７Ｋに接続されている。
７セグメント表示器３２には、７個のＬＥＤ３２１〜ＬＥＤ３２７、コモン端子ＣＯＭ３２、データ端子３２１Ｋ〜３２７Ｋが設けられている。ＬＥＤ３２１〜ＬＥＤ３２７の各アノードはコモン端子ＣＯＭ３２に接続され、各カソードは各データ端子３２１Ｋ〜３２７Ｋに接続されている。
７セグメント表示器３３には、７個のＬＥＤ３３１〜ＬＥＤ３３７、コモン端子ＣＯＭ３３、データ端子３３１Ｋ〜３３７Ｋが設けられている。ＬＥＤ３３１〜ＬＥＤ３３７の各アノードはコモン端子ＣＯＭ３３に接続され、各カソードは各データ端子３３１Ｋ〜３３７Ｋに接続されている。
７セグメント表示器３１のコモン端子ＣＯＭ３１は入力端子ＴＬ２に接続され、７セグメント表示器３２のコモン端子ＣＯＭ３２は入力端子ＴＬ３に接続され、７セグメント表示器３３のコモン端子ＣＯＭ３３は入力端子ＴＬ４に接続されている。そして、７セグメント表示器３１〜３３のデータ端子３１１Ｋ、３２１Ｋ、３３１Ｋは入力端子ＴＬ５に接続され、データ端子３１２Ｋ、３２２Ｋ、３３２Ｋは入力端子ＴＬ６に接続され、データ端子３１３Ｋ、３２３Ｋ、３３３Ｋは入力端子ＴＬ７に接続され、データ端子３１４Ｋ、３２４Ｋ、３３４Ｋは入力端子ＴＬ８に接続され、データ端子３１５Ｋ、３２５Ｋ、３３５Ｋは入力端子ＴＬ９に接続され、データ端子３１６Ｋ、３２６Ｋ、３３６Ｋは入力端子ＴＬ１０に接続され、データ端子３１７Ｋ、３２７Ｋ、３３７Ｋは入力端子ＴＬ１１に接続されている。
本実施の形態では、入力端子ＴＬ２〜ＴＬ４にコモン端子３１〜３３を接続することで、入力端子ＴＬ２〜ＴＬ４が当該ダイナミック点灯回路の“コモン側”に接続される。また、入力端子ＴＬ５〜ＴＬ１１にデータ端子３１１Ｋ〜３１７Ｋ、３２１Ｋ〜３２７Ｋ、３３１Ｋ〜３３７Ｋを接続することで、ＴＬ５〜ＴＬ１１が当該ダイナミック点灯回路の“データ側”に接続される。当該ダイナミック点灯回路は、７セグメント表示器３１、３２、３３を含む。
また、ＬＥＤ３４のアノードは入力端子ＴＬ１に接続され、カソードはＧＮＤ端子ＥＬ１に接続されている。
また、ＬＥＤ３５のカソードは入力端子ＴＬ１２に接続され、アノードはＬＥＤ電源Ｂに接続されている。
本実施の形態では、入力端子ＴＬ１とＧＮＤ端子間あるいは入力端子ＴＬ１２とＬＥＤ電源Ｂ間の回路によってスタティック点灯回路が構成されている。
【００１２】
そして、表示制御基板２０ａのＧＮＤ端子Ｅ１は、表示基板３０ａの端子ＥＬ１と配線等で接続されている。また、表示制御基板２０ａの出力端子ＴＥ１〜ＴＥ１２は、表示基板３０ａの入力端子ＴＬ１〜ＴＬ１２と配線等でそれぞれ接続されている。例えば、コネクタ付ケーブル等で接続されている。
これにより、第１のスイッチング回路２２ａのコレクタは、表示制御基板２０ａの出力端子ＴＥ１、表示基板３０ａの入力端子ＴＬ１を介して、ＬＥＤ３４のアノード側に接続される。すなわち、出力端子ＴＥ１は、第１の接続態様で、ＬＥＤ３４を有するスタティック点灯回路に接続されている。
第１のスイッチング回路２２ｂのコレクタは、表示制御基板２０ａの出力端子ＴＥ２、表示基板３０ａの入力端子ＴＬ２を介して、７セグメント表示器３１のコモン端子ＣＯＭ３１に接続される。また、第１のスイッチング回路２２ｃ，２２ｄも同様にして、それぞれ、７セグメント表示器３２、３３のコモン端子ＣＯＭ３２、コモン端子ＣＯＭ３３に接続される。すなわち、出力端子ＴＥ２〜ＴＥ４は、第２の接続態様で、７セグメント表示器３１、３２、３３のコモン端子ＣＯＭ３１〜ＣＯＭ３３に接続されている。
第２のスイッチング回路２２ｅのコレクタは、表示制御基板２０ａの出力端子ＴＥ５、表示基板３０ａの入力端子ＴＬ５を介して、７セグメント表示器３１のデータ端子３１１Ｋ、７セグメント表示器３２のデータ端子３２１Ｋ、７セグメント表示器３３のデータ端子３３１Ｋに接続される。また、第２のスイッチング回路２２ｆ〜２２ｋも同様にして、それぞれ、７セグメント表示器３２、３３、３４のデータ側に接続される。すなわち、出力端子ＴＥ５〜ＴＥ１２は、第４の接続態様で、７セグメント表示器３１、３２、３３のデータ端子３１１Ｋ〜３１７Ｋ、３２１Ｋ〜３２７Ｋ、３３１Ｋ〜３３７Ｋに接続されている。
第２のスイッチング回路２２ｍのコレクタは、表示制御基板２０ａの出力端子ＴＥ１２、表示基板３０ａの入力端子ＴＬ１２を介して、ＬＥＤ３５のカソードに接続される．すなわち、出力端子ＴＥ１２は、第３の接続態様で、ＬＥＤ３５を有するスタティック点灯回路に接続されている。
表示制御基板２０ａの出力端子ＴＥ１〜ＴＥ１２に、図２に示すようにＬＥＤ（表示手段）を接続した場合、ダイナミック点灯回路で２１個（７セグメント表示器の各ＬＥＤ×３組）のＬＥＤと、スタティック点灯回路で２個のＬＥＤを点灯／消灯制御することができる。
【００１３】
なお、図２では、同一の表示基板３０ａにスタティック点灯回路と、ダイナミック点灯回路が配設されている場合について説明したが、スタティック点灯回路とダイナミック点灯回路は、別々の表示基板等に配設されていてもよい。また、例えば、出力端子ＴＥ１に接続されるスタティック点灯回路と、出力端子ＴＥ１２に接続されるスタティック点灯回路は、別々の表示基板等に配設されていてもよい。
また、本実施の形態では、スタティック点灯回路やダイナミック点灯回路を表示基板上に配設したが、表示基板上に配設されていなくてもよい。
【００１４】
このように接続した状態で、表示制御回路２１は各出力端子ＴＥ１〜ＴＥ１２の接続態様に基づいて、スイッチング回路２２ａ〜２２ｍをオン／オフ制御する。スイッチング回路２２ａ〜２２ｍのオン／オフにより、出力端子ＴＥ１〜ＴＥ１２には、図３の（Ａ）に示す信号が出力される。これにより、図３の（Ｂ）に示すように、７セグメント表示器３１、３２、３３を構成するＬＥＤ３１１〜３１７、３２１〜３２７、３３１〜３３７がダイナミック点灯制御され、ＬＥＤ３４、３５がスタティック点灯制御される。図３の（Ｂ）では、黒色部分が点灯状態、白色部分が消灯状態を示す。ここで、図３の（Ａ）に示すタイミングチャート図の縦軸は、電圧や電流のレベルを示すものではなく、“オン”もしくは“オフ”の状態の遷移を示す。
本実施の形態のように、第１のグループの出力端子ＴＥ１〜ＴＥ４に接続されている第１のスイッチング回路２２ａ〜２２ｄがＰＮＰ型トランジスタである場合には、第１のグループの出力端子ＴＥ１〜ＴＥ４の出力が“オン”である状態では、第１のグループの出力端子ＴＥ１〜ＴＥ４が、ＬＥＤ電源Ａに接続される。第１のグループの出力端子ＴＥ１〜ＴＥ４の出力が“オフ”である状態では、第１のグループの出力端子ＴＥ１〜ＴＥ４は開放される。また、第２のグループの出力端子ＴＥ５〜ＴＥ１２に接続されている第２のスイッチング回路２２ｅ〜２２ｍがＮＰＮ型トランジスタである場合には、第２のグループの出力端子ＴＥ５〜ＴＥ１２の出力が“オン”である状態では、第２のグループの出力端子ＴＥ５〜ＴＥ１２が、ＧＮＤに接続される。第２のグループの出力端子ＴＥ５〜ＴＥ１２の出力が“オフ”である状態では、第２のグループの出力端子ＴＥ５〜ＴＥ１２は開放される。
【００１５】
出力端子ＴＥ１の出力は、時刻ｔ０〜ｔ３で“オフ”、時刻ｔ３〜ｔ９で“オン”に制御されている。すなわち、時刻ｔ３〜ｔ９間では、出力端子ＴＥ１の出力が“オン”して、出力端子ＴＥ１→入力端子ＴＬ１→ＬＥＤ３４→ＧＮＤに電流が流れ、ＬＥＤ３４が“点灯”する。なお、時刻ｔ０〜ｔ３間では、ＬＥＤ３４は“消灯”している。
出力端子ＴＥ１２の出力は、時刻ｔ０〜ｔ６で“オフ”、時刻ｔ６〜ｔ９で“オン”に制御されている。すなわち、時刻ｔ６〜ｔ９では、出力端子ＴＥ１２の出力が“オン”して、ＬＥＤ電源Ｂ→ＬＥＤ３５→入力端子ＴＬ１２→出力端子ＴＥ１２に電流が流れ、ＬＥＤ３５が“点灯”する。なお、時刻ｔ０〜ｔ６間では、ＬＥＤ３５は“消灯”している。
【００１６】
出力端子ＴＥ２〜ＴＥ４の出力は、７セグメント表示器３１、３２、３３をダイナミック点灯させるダイナミック点灯回路のコモン側に接続されている。そして、時刻ｔ０〜ｔ１間で出力端子ＴＥ２の出力を“オン”、時刻ｔ１〜ｔ２間で出力端子ＴＥ３の出力を“オン”、時刻ｔ２〜ｔ３間で出力端子ＴＥ４の出力を“オン”する。これを１サイクルとして繰り返す。
出力端子ＴＥ５〜ＴＥ１１の出力は、７セグメント表示器３１、３２、３３をダイナミック点灯させるダイナミック点灯回路のデータ側に接続されている。そして、出力端子ＴＥ５の出力は、時刻ｔ０〜ｔ１間で“オフ”、時刻ｔ１〜ｔ２及び時刻ｔ２〜ｔ３間で“オン”する。これを１サイクルとして繰り返す。出力端子ＴＥ６の出力は、時刻ｔ０〜ｔ３間で“オフ”である。これを１サイクルとして繰り返す。出力端子ＴＥ７の出力は、時刻ｔ０〜ｔ１間で“オフ”、時刻ｔ１〜ｔ２間で“オン”、時刻ｔ２〜ｔ３間で“オフ”する。これを１サイクルとして繰り返す。出力端子ＴＥ８の出力は、時刻ｔ０〜ｔ１間で“オフ”、時刻ｔ１〜ｔ２間で“オン”、時刻ｔ２〜ｔ３間で“オン”する。これを１サイクルとして繰り返す。出力端子ＴＥ９の出力は、時刻ｔ０〜ｔ１間で“オン”、時刻ｔ１〜ｔ２間で“オフ”、時刻ｔ２〜ｔ３間で“オン”する。これを１サイクルとして繰り返す。出力端子ＴＥ１０の出力は、時刻ｔ０〜ｔ３間で“オン”である。これを１サイクルとして繰り返す。出力端子ＴＥ１１の出力は、時刻ｔ０〜ｔ１間で“オフ”、時刻ｔ１〜ｔ２間で“オン”、時刻ｔ２〜ｔ３間で“オン”する。これを１サイクルとして繰り返す。
【００１７】
これにより、７セグメント表示器３１では、出力端子ＴＥ２の出力が“オン”の時に、出力端子ＴＥ５〜ＴＥ１１の出力に対応するＬＥＤ３１１〜３１７が点灯する。例えば、時刻ｔ０〜ｔ１間では、出力端子ＴＥ２の出力が“オン”、出力端子ＴＥ９、ＴＥ１０の出力が“オン”、出力端子ＴＥ５、ＴＥ６、ＴＥ７、ＴＥ８、ＴＥ１１の出力が“オフ”である。これにより、時刻ｔ０〜ｔ１間では、出力端子ＴＥ２→入力端子ＴＬ２→７セグメント表示器３１のＬＥＤ３１５→入力端子ＴＬ９→出力端子ＴＥ９に電流が流れ、ＬＥＤ３１５が点灯する。また、出力端子ＴＥ２→入力端子ＴＬ２→７セグメント表示器３１のＬＥＤ３１６→入力端子ＴＬ１０→出力端子ＴＥ１０に電流が流れ、ＬＥＤ３１６が点灯する。すなわち、時刻ｔ０〜ｔ１間では、７セグメント表示器３１に「１」が表示される。
７セグメント表示器３２では、出力端子ＴＥ３の出力が“オン”の時に、出力端子ＴＥ５〜ＴＥ１１の出力に対応するＬＥＤ３２１〜３２７が点灯する。例えば、時刻ｔ１〜ｔ２間では、出力端子ＴＥ３の出力が“オン”、出力端子ＴＥ５、ＴＥ７、ＴＥ８、ＴＥ１０、ＴＥ１１の出力が“オン”、出力端子ＴＥ６、ＴＥ９の出力が“オフ”である。これにより、時刻ｔ１〜ｔ２間では、出力端子ＴＥ３→入力端子ＴＬ３→７セグメント表示器３２のＬＥＤ３２１→入力端子ＴＬ５→出力端子ＴＥ５に電流が流れ、ＬＥＤ３２１が点灯する。また、出力端子ＴＥ３→入力端子ＴＬ３→７セグメント表示器３２のＬＥＤ３２３→入力端子ＴＬ７→出力端子ＴＥ７に電流が流れ、ＬＥＤ３２３が点灯する。また、出力端子ＴＥ３→入力端子ＴＬ３→７セグメント表示器３２のＬＥＤ３２４→入力端子ＴＬ８→出力端子ＴＥ８に電流が流れ、ＬＥＤ３２４が点灯する。また、出力端子ＴＥ３→入力端子ＴＬ３→７セグメント表示器３２のＬＥＤ３２６→入力端子ＴＬ１０→出力端子ＴＥ１０に電流が流れ、ＬＥＤ３２６が点灯する。また、出力端子ＴＥ３→入力端子ＴＬ３→７セグメント表示器３２のＬＥＤ３２７→入力端子ＴＬ１１→出力端子ＴＥ１１に電流が流れ、ＬＥＤ３２７が点灯する。すなわち、時刻ｔ１〜ｔ２間では、７セグメント表示器３２に「２」が表示される。
７セグメント表示器３３では、出力端子ＴＥ４の出力が“オン”の時に、出力端子ＴＥ５〜ＴＥ１１の出力に対応するＬＥＤ３３１〜３３７が点灯する。例えば、時刻ｔ２〜ｔ３間では、出力端子ＴＥ４の出力が“オン”、出力端子ＴＥ５、ＴＥ８、ＴＥ９、ＴＥ１０、ＴＥ１１の出力が“オン”、出力端子ＴＥ６、ＴＥ７の出力が“オフ”である。これにより、時刻ｔ２〜ｔ３間では、出力端子ＴＥ４→入力端子ＴＬ４→７セグメント表示器３３のＬＥＤ３３１→入力端子ＴＬ５→出力端子ＴＥ５に電流が流れ、ＬＥＤ３３１が点灯する。また、出力端子ＴＥ４→入力端子ＴＬ４→７セグメント表示器３３のＬＥＤ３３４→入力端子ＴＬ８→出力端子ＴＥ８に電流が流れ、ＬＥＤ３３４が点灯する。また、出力端子ＴＥ４→入力端子ＴＬ４→７セグメント表示器３３のＬＥＤ３３５→入力端子ＴＬ９→出力端子ＴＥ９に電流が流れ、ＬＥＤ３３５が点灯する。また、出力端子ＴＥ４→入力端子ＴＬ４→７セグメント表示器３３のＬＥＤ３３６→入力端子ＴＬ１０→出力端子ＴＥ１０に電流が流れ、ＬＥＤ３３６が点灯する。また、出力端子ＴＥ４→入力端子ＴＬ４→７セグメント表示器３３のＬＥＤ３３７→入力端子ＴＬ１１→出力端子ＴＥ１１に電流が流れ、ＬＥＤ３３７が点灯する。すなわち、時刻ｔ２〜ｔ３間では、７セグメント表示器３３に「３」が表示される。
このような時刻ｔ０〜ｔ３間の点灯／消灯制御が１サイクルとして、連続して繰り返される。１サイクルは、例えば、数ｍｓｅｃ程度である。このため、７セグメント表示器３１、３２、３３は、連続して「１」「２」「３」を表示しているように見える。
また、７セグメント表示器３１、３２、３３の表示内容を変動させる場合には、出力端子ＴＥ５〜ＴＥ１１の出力、すなわち、ダイナミック点灯回路のデータ側への出力を、変動させる表示に対応する出力に切り換えればよい。
【００１８】
図３の（Ａ）に示すタイミングチャート図では、各出力端子の出力が“オン”する時に遅れ時間が設けられているものがある。例えば、出力端子ＴＥ９の出力は、時刻ｔ０〜ｔ１で“オン”しているが、時刻ｔ０よりも所定時間経過後に“オン”している。この遅れ時間は、異なる７セグメント表示器に設けられているＬＥＤの同時導通による影響を回避するためのものであり、同時導通の影響を考慮する必要がない場合には省略してもよい。
また、第１のグループの出力端子に第２のスイッチング回路を、第２のグループの出力端子に第１のスイッチング回路を接続してもよい。例えば、ＰＮＰ型のトランジスタをダイナミック点灯回路のデータ側に、ＮＰＮ型のトランジスタをダイナミック点灯回路のコモン側とスタティック点灯回路に接続してもよい。
【００１９】
（２）７個×４ブロックのＬＥＤをダイナミック点灯させる場合
次に、図４、図５に示すように、７セグメント表示器３１、３２、３３、３６（１ブロック７個のＬＥＤからなるブロックを４ブロック）をダイナミック点灯させ、１個のＬＥＤ３５をスタティック点灯させる場合について説明する。
表示制御基板２０ａの構成は、図２、図３に示した場合と同様である。
表示基板３０ａの構成は、図２、図３に示した表示基板と以下の点で相違している。すなわち、図４、図５に示すように、７セグメント表示器を４組使用する場合には、例えば、スタティック点灯回路に接続されていた第１のグループの出力端子を、追加する７セグメント表示器３６のコモン側に接続する。本実施の形態では、図２、図３に示した表示基板ではスタティック点灯回路を接続していた第１のグループの出力端子ＴＥ１を、追加する７セグメント表示器３６のコモン側に接続している。また、追加する７セグメント表示器３６のデータ端子は、他の７セグメント表示器３１〜３３のデータ端子が接続されている第２のグループの出力端子ＴＥ５〜ＴＥ１２に接続する。
【００２０】
表示基板３０ａには、４個の７セグメント表示器３１、３２、３３、３６と、ＬＥＤ３５、入力端子ＴＬ１〜ＴＬ１２、ＧＮＤ端子ＥＬ１が配設されている。
７セグメント表示器３１〜３３、ＬＥＤ３５の構成及び出力端子との接続は、図２、図３に示す場合と同様である。
７セグメント表示器３６には、７個のＬＥＤ３６１〜ＬＥＤ３６７、コモン端子ＣＯＭ３６、データ端子３６１Ｋ〜３６７Ｋが設けられている。ＬＥＤ３６１〜ＬＥＤ３６７の各アノードはコモン端子ＣＯＭ３６に接続され、各カソードは各データ端子３６１Ｋ〜３６７Ｋに接続されている。７セグメント表示器３６のコモン端子ＣＯＭ３６は入力端子ＴＬ１に接続されている。そして、７セグメント表示器３６のデータ端子３６１Ｋは入力端子ＴＬ５に接続され、データ端子３６２Ｋは入力端子ＴＬ６に接続され、データ端子３６３Ｋは入力端子ＴＬ７に接続され、データ端子３６４Ｋは入力端子ＴＬ８に接続され、データ端子３６５Ｋは入力端子ＴＬ９に接続され、データ端子３６６Ｋは入力端子ＴＬ１０に接続され、データ端子３６７Ｋは入力端子ＴＬ１１に接続されている。
【００２１】
そして、表示制御基板２０ａのＧＮＤ端子Ｅ１は、表示基板３０ａの端子ＥＬ１と配線等で接続されている。また、表示制御基板２０ａの出力端子ＴＥ１〜ＴＥ１２は、表示基板３０ａの入力端子ＴＬ１〜ＴＬ１２と配線等でそれぞれ接続されている。例えば、コネクタ付ケーブル等で接続されている。
これにより、第１のスイッチング回路２２ａのコレクタは、表示制御基板２０ａの出力端子ＴＥ１、表示基板３０ａの入力端子ＴＬ１を介して、７セグメント表示器３６のコモン端子ＣＯＭ３６に接続される。すなわち、出力端子ＴＥ１は、第２の接続態様で、７セグメント表示器３６のコモン端子ＣＯＭ３６（ダイナミック点灯回路のコモン端子）に接続されている。
表示制御基板２０ａの出力端子ＴＥ１〜ＴＥ１２に、図４に示すように表示手段を接続した場合、ダイナミック点灯回路で２８個（７セグメント表示器の各ＬＥＤ×４組）のＬＥＤと、スタティック点灯回路で１個のＬＥＤを点灯／消灯制御することができる。
【００２２】
このように接続した状態で、表示制御回路２１は各出力端子ＴＥ１〜ＴＥ１２の接続態様に基づいて、スイッチング回路２２ａ〜２２ｍをオン／オフ制御する。スイッチング回路２２ａ〜２２ｍのオン／オフによる、出力端子ＴＥ１〜ＴＥ１２の出力を、図５の（Ｃ）に示す。これにより、図５の（Ｄ）に示すように、７セグメント表示器３１、３２、３３、３６を構成するＬＥＤ３１１〜３１７、３２１〜３２７、３３１〜３３７、３６１〜３６７がダイナミック点灯制御され、ＬＥＤ３５がスタティック点灯制御される。
【００２３】
出力端子ＴＥ１２の出力は、時刻ｔ０〜ｔ６で“オフ”、時刻ｔ６〜ｔ９で“オン”に制御されている。すなわち、時刻ｔ６〜ｔ９間では、出力端子ＴＥ１２の出力が“オン”し、ＬＥＤ電源Ｂ→ＬＥＤ３５→入力端子ＴＬ１２→出力端子ＴＥ１２に電流が流れ、ＬＥＤ３５が“点灯”する。なお、時刻ｔ０〜ｔ６間では、ＬＥＤ３５は“消灯”している。
【００２４】
出力端子ＴＥ１〜ＴＥ４の出力は、７セグメント表示器３１、３２、３３、３６をダイナミック点灯させるダイナミック点灯回路のコモン端子に接続されている。そして、時刻ｔ０〜ｔ１間で出力端子ＴＥ２の出力を“オン”、時刻ｔ１〜ｔ２間で出力端子ＴＥ３の出力を“オン”、時刻ｔ２〜ｔ２’間で出力端子ＴＥ４の出力を“オン”、時刻ｔ２’〜ｔ３間で出力端子ＴＥ１の出力を“オン”する。これを１サイクルとして繰り返す。
出力端子ＴＥ５〜ＴＥ１１の出力は、７セグメント表示器３１、３２、３３をダイナミック点灯させるダイナミック点灯回路のデータ端子に接続されている。そして、出力端子ＴＥ５の出力は、時刻ｔ０〜ｔ１間で“オフ”、時刻ｔ１〜ｔ２及び時刻ｔ２〜ｔ２’間で“オン”、ｔ２’〜ｔ３間で“オフ”する。これを１サイクルとして繰り返す。出力端子ＴＥ６の出力は、時刻ｔ０〜ｔ２’間で“オフ”、ｔ２’〜ｔ３間で“オン”する。これを１サイクルとして繰り返す。出力端子ＴＥ７の出力は、時刻ｔ０〜ｔ１間で“オフ”、時刻ｔ１〜ｔ２間で“オン”、時刻ｔ２〜ｔ３間で“オフ”する。これを１サイクルとして繰り返す。出力端子ＴＥ８の出力は、時刻ｔ０〜ｔ１間で“オフ”、時刻ｔ１〜ｔ２’間で“オン”、時刻ｔ２’〜ｔ３間で“オン”する。これを１サイクルとして繰り返す。出力端子ＴＥ９の出力は、時刻ｔ０〜ｔ１間で“オン”、時刻ｔ１〜ｔ２間で“オフ”、時刻ｔ２〜ｔ３間で“オン”する。これを１サイクルとして繰り返す。出力端子ＴＥ１０の出力は、時刻ｔ０〜ｔ３間で“オン”である。これを１サイクルとして繰り返す。出力端子ＴＥ１１の出力は、時刻ｔ０〜ｔ１間で“オフ”、時刻ｔ１〜ｔ２間で“オン”、時刻ｔ２〜ｔ３間で“オン”する。これを１サイクルとして繰り返す。
【００２５】
これにより、７セグメント表示器３１で、図３に示す場合と同様に時刻ｔ０〜ｔ１で「１」が、７セグメント表示器３２には時刻ｔ１〜ｔ２で「２」が、７セグメント表示器３３には時刻ｔ２〜ｔ２’で「３」が表示される。
また、７セグメント表示器３６では、出力端子ＴＥ１の出力が“オン”の時の、出力端子ＴＥ５〜ＴＥ１１の出力に対応するＬＥＤ３６１〜３６７が点灯する。例えば、時刻ｔ２’〜ｔ３間では、出力端子ＴＥ１の出力が“オン”（出力電圧が“Ｈ”レベル）、出力端子ＴＥ６、９、１０、１１の出力が“オン”（出力電圧が“Ｌ”レベル）、出力端子ＴＥ５、７、８の出力が“オフ”である。これにより、時刻ｔ２’〜ｔ３間では、出力端子ＴＥ１→入力端子ＴＬ１→７セグメント表示器３６のＬＥＤ３６２→入力端子ＴＬ６→出力端子ＴＥ６に電流が流れ、ＬＥＤ３６２が点灯する。また、出力端子ＴＥ１→入力端子ＴＬ１→７セグメント表示器３６のＬＥＤ３６５→入力端子ＴＬ９→出力端子ＴＥ９に電流が流れ、ＬＥＤ３６５が点灯する。また、出力端子ＴＥ１→入力端子ＴＬ１→７セグメント表示器３６のＬＥＤ３６６→入力端子ＴＬ１０→出力端子ＴＥ１０に電流が流れ、ＬＥＤ３６６が点灯する。また、出力端子ＴＥ１→入力端子ＴＬ１→７セグメント表示器３６のＬＥＤ３６７→入力端子ＴＬ１１→出力端子ＴＥ１１に電流が流れ、ＬＥＤ３６７が点灯する。すなわち、時刻ｔ２’〜ｔ３間では、７セグメント表示器３６に「４」が表示される。
このような時刻ｔ０〜ｔ３間の点灯／消灯制御が１サイクルとして、連続して繰り返される。１サイクルは、例えば、数ｍｓｅｃ程度である。このため、７セグメント表示器３１、３２、３３、３６は、連続して「１」「２」「３」「４」を表示しているように見える。
【００２６】
（３）７個×２ブロックのＬＥＤをダイナミック点灯させる場合
次に、図６、図７に示すように、７セグメント表示器３１、３２（１ブロック７個のＬＥＤからなるブロックを２ブロック）をダイナミック点灯させ、３個のＬＥＤ３４、３５、３７をスタティック点灯させる場合について説明する。
表示制御基板２０ａの構成は、図２、図３に示した場合と同様である。
表示基板３０ａの構成は、図２、図３に示した表示基板と以下の点で相違している。すなわち、図６、図７に示すように、７セグメント表示器を２組使用する場合には、例えば、ダイナミック点灯回路のコモン側に接続していた第１のグループの出力端子を、スタティック点灯回路に接続する。本実施の形態では、図２、図３に示した表示基板ではダイナミック点灯回路のコモン側に接続していた第１のグループの出力端子ＴＥ２に、スタティック点灯回路を接続している。
【００２７】
表示基板３０ａには、２個の７セグメント表示器３１、３２と、ＬＥＤ３４、３５、３７、入力端子ＴＬ１〜ＴＬ１２、ＧＮＤ端子ＥＬ１が配設されている。
７セグメント表示器３１、３２、ＬＥＤ３４、３５の構成及び出力端子との接続は、図２、図３に示す場合と同様である。
ＬＥＤ３７のアノードは入力端子ＴＬ２に接続され、カソードはＧＮＤ端子ＥＬ１に接続されている。
【００２８】
そして、表示制御基板２０ａのＧＮＤ端子Ｅ１は、表示基板３０ａの端子ＥＬ１と配線等で接続されている。また、表示制御基板２０ａの出力端子ＴＥ１〜ＴＥ１２は、表示基板３０ａの入力端子ＴＬ１〜ＴＬ１２と配線等でそれぞれ接続されている。例えば、コネクタ付ケーブル等で接続されている。
これにより、第１のスイッチング回路２２ｂのコレクタは、表示制御基板２０ａの出力端子ＴＥ２、表示基板３０ａの入力端子ＴＬ２を介して、ＬＥＤ３７のアノード側に接続される。すなわち、出力端子ＴＥ２は、第１の接続態様で、ＬＥＤ３７を有するスタティック点灯回路に接続されている。
表示制御基板２０ａの出力端子ＴＥ１〜ＴＥ１２に、図６に示すように表示手段を接続した場合、ダイナミック点灯回路で１４個（７セグメント表示器の各ＬＥＤ×２個）のＬＥＤと、スタティック点灯回路で３個のＬＥＤを点灯／消灯制御することができる。
【００２９】
このように接続した状態で、表示制御回路２１は各出力端子ＴＥ１〜ＴＥ１２の接続態様に基づいて、スイッチング回路２２ａ〜２２ｍをオン／オフ制御する。スイッチング回路２２ａ〜２２ｍのオン／オフにより、出力端子ＴＥ１〜ＴＥ１２の出力は、図７の（Ｅ）に示すようになる。これにより、図７の（Ｆ）に示すように、７セグメント表示器３１、３２を構成するＬＥＤ３１１〜３１７、３２１〜３２７がダイナミック点灯制御され、ＬＥＤ３４、３５、３７がスタティック点灯制御される。
出力端子ＴＥ２の出力は、時刻ｔ０〜ｔ９で“オフ”している。これにより、ＬＥＤ３７は、時刻ｔ０〜ｔ９で“消灯”する。
【００３０】
出力端子ＴＥ３、ＴＥ４の出力は、７セグメント表示器３１、３２をダイナミック点灯させるダイナミック点灯回路のコモン側に接続されている。そして、時刻ｔ０〜ｔ１間で出力端子ＴＥ３の出力を“オン”、時刻ｔ１〜ｔ３間で出力端子ＴＥ４の出力を“オン”する。これを１サイクルとして繰り返す。
出力端子ＴＥ５〜ＴＥ１１の出力は、７セグメント表示器３１、３２をダイナミック点灯させるダイナミック点灯回路のデータ端子に接続されている。そして、出力端子ＴＥ５の出力は、時刻ｔ０〜ｔ１間で“オフ”、時刻ｔ１〜ｔ３間で“オン”する。これを１サイクルとして繰り返す。出力端子ＴＥ６の出力は、時刻ｔ０〜ｔ３間で“オフ”する。これを１サイクルとして繰り返す。
出力端子ＴＥ７の出力は、時刻ｔ０〜ｔ１間で“オフ”、時刻ｔ１〜ｔ３間で“オン”する。これを１サイクルとして繰り返す。出力端子ＴＥ８の出力は、時刻ｔ０〜ｔ１間で“オフ”、時刻ｔ１〜ｔ３間で“オン”する。これを１サイクルとして繰り返す。出力端子ＴＥ９の出力は、時刻ｔ０〜ｔ１間で“オン”、時刻ｔ１〜ｔ３間で“オフ”する。これを１サイクルとして繰り返す。出力端子ＴＥ１０の出力は、時刻ｔ０〜ｔ３間で“オン”である。これを１サイクルとして繰り返す。出力端子ＴＥ１１の出力は、時刻ｔ０〜ｔ１間で“オフ”、時刻ｔ１〜ｔ３間で“オン”する。これを１サイクルとして繰り返す。
【００３１】
７セグメント表示器３１、３２には、図３に示す場合と同様に時刻ｔ０〜ｔ１で「１」が、７セグメント表示器３２には時刻ｔ１〜ｔ３で「２」が表示される。このような時刻ｔ０〜ｔ３間の点灯／消灯制御が１サイクルとして、連続して繰り返される。１サイクルは、例えば、数ｍｓｅｃ程度である。このため、７セグメント表示器３１、３２は、連続して「１」「２」を表示しているように見える。
【００３２】
（４）６個×３ブロックのＬＥＤをダイナミック点灯させる場合
次に、図８、図９に示すように、６個のＬＥＤを１つのブロックとし、３ブロックをダイナミック点灯させ、３個のＬＥＤをスタティック点灯させる場合について説明する。
表示制御基板２０ａの構成は、図２、図３に示した場合と同様である。
表示制御基板２０ａの構成は、図２、図３に示した場合と同様である。
表示基板３０ａの構成は、図２、図３に示した表示基板と以下の点で相違している。すなわち、図８、図９に示すように、６個のＬＥＤを１つのブロックとして３ブロックをダイナミック点灯させる場合には、例えば、ダイナミック点灯回路に接続されていた第２のグループの出力端子を、スタティック点灯回路に接続する。
【００３３】
表示基板３０ａには、ＬＥＤ３４、３５、３８、４１１〜４１６、４２１〜４２６、４３１〜４３６、入力端子ＴＬ１〜ＴＬ１２、ＧＮＤ端子ＥＬ１が配設されている。
第１ブロックのＬＥＤ４１１〜４１６の各アノード側は、入力端子ＴＬ２に接続されている。第２ブロックのＬＥＤ４２１〜４２６の各アノード側は、入力端子ＴＬ３に接続されている。第３ブロックのＬＥＤ４３１〜４３６の各アノード側は、入力端子ＴＬ４に接続されている。これにより、第１、第２、第３ブロックのＬＥＤ４１１〜４１６、４２１〜４２６、４３１〜４３６を有するダイナミック点灯回路のコモン側が入力端子ＴＬ２〜ＴＬ４に接続される。
ＬＥＤ４１１、４２１、４３１のカソード側は入力端子ＴＬ５に接続されている。ＬＥＤ４１２、４２２、４３２のカソード側は入力端子ＴＬ６に接続されている。ＬＥＤ４１３、４２３、４３３のカソード側は入力端子ＴＬ７に接続されている。ＬＥＤ４１４、４２４、４３４のカソード側は入力端子ＴＬ８に接続されている。ＬＥＤ４１５、４２５、４３５のカソード側は入力端子ＴＬ９に接続されている。ＬＥＤ４１６、４２６、４３６のカソード側は入力端子ＴＬ１０に接続されている。これにより、第１、第２、第３ブロックのＬＥＤ４１１〜４１６、４２１〜４２６、４３１〜４３６を有するダイナミック点灯回路のデータ側が入力端子ＴＬ５〜ＴＬ１０に接続される。
ＬＥＤ３４のアノード側は、入力端子ＴＬ１に接続されている。また、カソード側はＧＮＤに接続されている。
ＬＥＤ３５、３８のカソード側は、入力端子ＴＬ１２、１１に接続されている。また、アノード側は、ＬＥＤ電源Ｂに接続されている。
【００３４】
そして、表示制御基板２０ａのＧＮＤ端子Ｅ１は、表示基板３０ａのＧＮＤ端子ＥＬ１と配線等で接続されている。また、表示制御基板２０ａの出力端子ＴＥ１〜ＴＥ１２は、表示基板３０ａの入力端子ＴＬ１〜ＴＬ１２と配線等でそれぞれ接続されている。例えば、コネクタ付ケーブル等で接続されている。
これにより、第１のスイッチング回路２２ａのコレクタは、表示制御装置２０の出力端子ＴＥ１、表示基板３０ａの入力端子ＴＬ１を介して、ＬＥＤ３４のアノード側に接続される。すなわち、出力端子ＴＥ１は、第１の接続態様で、ＬＥＤ３４をスタティック点灯するスタティック点灯回路に接続されている。
第１のスイッチング回路２２ｂのコレクタは、表示制御基板２０ａの出力端子ＴＥ２、表示基板３０ａの入力端子ＴＬ２を介して、ＬＥＤ４１１〜４１６のアノード側に接続される。また、第１のスイッチング回路２２ｃ，２２ｄも同様にして、それぞれ、ＬＥＤ４２１〜４２６のアノード側、ＬＥＤ４３１〜４３６のアノード側に接続される。すなわち、出力端子ＴＥ２〜ＴＥ４は、第２の接続態様で、ＬＥＤ４１１〜４１６、ＬＥＤ４２１〜４２６、ＬＥＤ４３１〜４３６を有するダイナミック点灯回路のコモン端子に接続されている。
第２のスイッチング回路２２ｅのコレクタは、表示制御基板２０ａの出力端子ＴＥ５、表示基板３０ａの入力端子ＴＬ５を介して、ＬＥＤ４１１，４２１，４３１のカソード側に接続される。また、第２のスイッチング回路２２ｆ〜２２ｊも同様にして、それぞれ、対応するＬＥＤのカソード側に接続される。すなわち、出力端子ＴＥ５〜ＴＥ１０は、第４の接続態様で、ＬＥＤ４１１〜４１６、ＬＥＤ４２１〜４２６、ＬＥＤ４３１〜４３６を有するダイナミック点灯回路のデータ端子に接続されている。
第２のスイッチング回路２２ｋのコレクタは、表示制御基板２０ａの出力端子ＴＥ１１、表示基板３０ａの入力端子ＴＬ１１を介して、ＬＥＤ３８のカソード側に接続される。すなわち、出力端子ＴＥ１１は、第３の接続態様でＬＥＤ３８を有するスタティック点灯回路に接続されている。
第２のスイッチング回路２２ｍのコレクタは、表示制御基板２０ａの出力端子ＴＥ１２、表示基板３０ａの入力端子ＴＬ１２を介して、ＬＥＤ３５のカソード側に接続される。すなわち、出力端子ＴＥ１２は、第３の接続態様でＬＥＤ３５を有するスタティック点灯回路に接続されている。
表示制御基板２０ａの出力端子ＴＥ１〜ＴＥ１２に、図８に示すように表示手段を接続した場合、ダイナミック点灯回路で１８個（６個×３ブロック）の表示手段と、スタティック点灯回路で３個の表示手段を点灯／消灯制御することができる。
【００３５】
このように接続した状態で、表示制御回路２１は各出力端子ＴＥ１〜ＴＥ１２の接続態様に基づいて、スイッチング回路２２ａ〜２２ｍをオン／オフ制御する。スイッチング回路２２ａ〜２２ｍのオン／オフにより、出力端子ＴＥ１〜ＴＥ１２には、図９の（Ｇ）に示す信号が出力される。これにより、図９の（Ｈ）に示すように、第１、第２、第３のブロックのＬＥＤ４１１〜４１６、４２１〜４２６、４３１〜４３６がダイナミック点灯制御され、ＬＥＤ３４、３５、３８がスタティック点灯制御される。
出力端子ＴＥ１〜ＴＥ１０、ＴＥ１２の出力は、図３の（Ａ）に示す出力と同様である。
出力端子ＴＥ１１の出力は、時刻ｔ０〜ｔ６間で“オフ”、時刻ｔ６〜ｔ９で“オン”に制御されている。すなわち、時刻ｔ６〜ｔ９間では、出力端子ＴＥ１１の出力が“オン”し、ＬＥＤ電源Ｂ→ＬＥＤ３８→入力端子ＴＬ１１→出力端子ＴＥ１１に電流が流れ、ＬＥＤ３８が“点灯”する。なお、時刻ｔ０〜ｔ６間では、ＬＥＤ３８は“消灯”している。
出力端子ＴＥ１１に（配線パターン、入力端子ＴＬ１１を介して）接続されているＬＥＤ３８に電流が流れる。これにより、ＬＥＤ３８は、時刻ｔ０〜ｔ６で“消灯”し、時刻ｔ６〜ｔ９で“点灯”する。
【００３６】
また、第１のブロックのＬＥＤ４１１〜４１６では、出力端子ＴＥ２の出力が“オン”の時の、出力端子ＴＥ５〜ＴＥ１０の出力に対応するＬＥＤ４１１〜４１６が点灯する。例えば、時刻ｔ０〜ｔ１間では、出力端子ＴＥ２の出力が“オン”（出力電圧が“Ｈ”レベル）、出力端子ＴＥ５、６、７、８の出力が“オフ”、出力端子ＴＥ９、１０に出力される点灯／消灯制御信号が“オン”（出力電圧が“Ｌ”レベル）である。これにより、時刻ｔ０〜ｔ１間では、出力端子ＴＥ２→入力端子ＴＥ２→ＬＥＤ４１５→入力端子ＴＬ９→出力端子ＴＥ９に電流が流れ、ＬＥＤ４１５が点灯する。また、出力端子ＴＥ２→入力端子ＴＥ２→ＬＥＤ４１６→入力端子ＴＬ１０→出力端子ＴＥ１０に電流が流れ、ＬＥＤ４１６が点灯する。
第２のブロックのＬＥＤ４２１〜４２６では、出力端子ＴＥ３の出力が“オン”の時、出力端子ＴＥ５〜ＴＥ１０の出力に対応するＬＥＤ４２１〜４２６が点灯する。例えば、時刻ｔ１〜ｔ２間では、出力端子ＴＥ３の出力が“オン”（出力電圧が“Ｈ”レベル）、出力端子ＴＥ５、７、８、１０の出力が“オン”（出力電圧が“Ｌ”レベル）、出力端子ＴＥ６、９の出力が“オフ”である。これにより、時刻ｔ１〜ｔ２間では、出力端子ＴＥ３→入力端子ＴＥ３→ＬＥＤ４２１→入力端子ＴＬ５→出力端子ＴＥ５に電流が流れ、ＬＥＤ４２１が点灯する。また、出力端子ＴＥ３→入力端子ＴＥ３→ＬＥＤ４２３→入力端子ＴＬ７→出力端子ＴＥ７に電流が流れ、ＬＥＤ４２３が点灯する。また、出力端子ＴＥ３→入力端子ＴＥ３→ＬＥＤ４２４→入力端子ＴＬ８→出力端子ＴＥ８に電流が流れ、ＬＥＤ４２４が点灯する。また、出力端子ＴＥ３→入力端子ＴＥ３→ＬＥＤ４２６→入力端子ＴＬ１０→出力端子ＴＥ１０に電流が流れ、ＬＥＤ４２６が点灯する。
第３のブロックのＬＥＤ４３１〜４３６では、出力端子ＴＥ４の出力が“オン”の時の、出力端子ＴＥ５〜ＴＥ１０の出力に対応するＬＥＤ４３１〜４３６が点灯する。例えば、時刻ｔ２〜ｔ３間では、出力端子ＴＥ４の出力が“オン”、出力端子ＴＥ５、８、９、１０の出力が“オン”、出力端子ＴＥ６、７の出力が“オフ”である。これにより、時刻ｔ２〜ｔ３間では、出力端子ＴＥ４→入力端子ＴＥ４→ＬＥＤ４３１→入力端子ＴＬ５→出力端子ＴＥ５に電流が流れ、ＬＥＤ４３１が点灯する。また、出力端子ＴＥ４→入力端子ＴＥ４→ＬＥＤ４３４→入力端子ＴＬ８→出力端子ＴＥ８に電流が流れ、ＬＥＤ４３４が点灯する。また、出力端子ＴＥ４→入力端子ＴＥ４→ＬＥＤ４３５→入力端子ＴＬ９→出力端子ＴＥ９に電流が流れ、ＬＥＤ４３５が点灯する。また、出力端子ＴＥ４→入力端子ＴＥ４→ＬＥＤ４３６→入力端子ＴＬ１０→出力端子ＴＥ１０に電流が流れ、ＬＥＤ４３６が点灯する。
このような時刻ｔ０〜ｔ３間の点灯／消灯制御が１サイクルとして、連続して繰り返される。１サイクルは、例えば、数ｍｓｅｃ程度である。このため、ＬＥＤ４１５、４１６、４２１、４２３、４２４、４２６、４３１、４３４、４３５、４３６は、連続して点灯しているように見える。
【００３７】
以上のように、本実施の形態の遊技機では、同じ数の表示手段により構成される表示手段のブロックの数を増加する仕様変更に対しては、例えば、第１の接続態様でスタティック点灯回路に接続している第１のグループの出力端子を、第２の接続態様でダイナミック点灯回路のコモン側に接続することによって対応することができる。
また、同じ数の表示手段により構成される表示手段のブロックの数を減少する仕様変更に対しては、例えば、第２の接続態様でダイナミック点灯回路のコモン側に接続している第１のグループの出力端子を、第１の接続態様でスタティック点灯回路に接続することによって対応することができる。
また、ダイナミック点灯回路に用いられるブロックを構成する表示手段の数を増加する仕様変更（例えば、７個を８個にする。）に対しては、例えば、第３の接続態様でスタティック点灯回路に接続している第２のグループの出力端子を、第４の接続態様でダイナミック点灯回路のデータ側に接続することによって対応することができる。
また、ダイナミック点灯に用いられるブロックを構成する表示手段の数を減少する仕様変更（例えば、７個を６個にする。）に対しては、例えば、第４の接続態様でダイナミック点灯回路のデータ側に接続している第２のグループの出力端子を、第３の接続態様でスタティック点灯回路に接続することによって対応することができる。
また、ダイナミック点灯に用いられるブロックを構成する表示手段の数を増加あるいは減少させ、なおかつ、ブロックの数を増加あるいは減少させる場合には、前記した方法を組み合わせることにより対応することができる。
したがって、仕様変更に対する自由度が高まる。
これにより、表示手段の数や表示態様等の仕様変更に対して、同じ表示制御基板、すなわち、同じ表示制御装置により容易に対応することができる。この場合、仕様変更等に応じて表示制御装置のソフトウエアを変更する必要はあるが、表示制御基板（ハードウエア）を変更する必要がないため、コスト等の面でメリットがある。ここで、遊技機では、表示制御基板等は試験機関等で試験を受けることが義務付けられている場合がある。表示制御基板（ハードウエア）を変更せずに種々の仕様変更に対応できるようにすることにより、仕様変更毎に表示制御基板の試験を試験機関等で受ける必要がなくなり、仕様変更に要する時間を大幅に短縮することができる。
さらに、表示制御基板の出力端子にダイナミック点灯回路あるいはスタティック点灯回路を接続するため、空き端子が発生することを防止することができる。これにより、空き端子からの不正な信号の入力を防止することもできる。
【００３８】
本発明は、実施の形態で説明した構成に限定されることなく、種々の変更、追加、削除が可能である。
また、本発明は、パチンコ機以外の種々の遊技機（スロットマシン等）に用いることができる。
また、表示手段はＬＥＤに限定されるものではない。
また、スイッチング回路は、トランジスタやＦＥＴ等のスイッチング素子単体で構成されていてもよいし、スイッチング素子を含む複数の素子により構成されていてもよい。
また、「第１のグループの出力端子」とは、例えば、出力端子の前段の（出力端子の出力状態を直接制御する）スイッチング素子が、ＰＮＰ型トランジスタ（第１のスイッチング回路）である出力端子である。この場合、「第１の接続態様」、「第２の接続態様」とは、一方（カソード側）がＧＮＤに接続された表示手段（ＬＥＤ等）の他方に接続する態様、ダイナミック点灯回路に設けられている表示手段の一方側（例えば、コモン側）に接続する態様のいずれかである。また、「第２のグループの出力端子」とは、例えば、出力端子の前段のスイッチング素子が、ＮＰＮ型トランジスタ（第２のスイッチング回路）である出力端子である。この場合、「第３の接続態様」、「第４の接続態様」とは、一方側（例えば、アノード側）が電源に接続された表示手段（ＬＥＤ等）の他方に接続する態様、ダイナミック点灯回路に設けられている表示手段の他方側（例えば、データ側）に接続する態様のいずれかである。
また、「第１のグループの出力端子」がＮＰＮ型トランジスタに接続されている出力端子であり、「第２のグループの出力端子」がＰＮＰ型トランジスタに接続されている出力端子であってもよい。
また、本実施の形態では、１つの出力端子を用いてスタティック点灯制御をする場合について説明したが、複数の出力端子を用いてスタティック点灯制御をしてもよい。例えば、図２に示す、カソードが出力端子ＴＥ１１に接続されているＬＥＤ３５のアノードは、ＬＥＤ電源Ｂに接続されている。しかし、仮に、出力端子ＴＥ１を使用してもよい場合には、アノードを出力端子ＴＥ１に接続する。この場合、出力端子ＴＥ１が“オン”であり、なおかつ出力端子ＴＥ１１が“オン”である時に、ＬＥＤ３５が点灯する。これによれば、一層容易に、空き端子が発生することを防止できる。
また、本実施の形態では、表示手段を表示制御回路２１で点灯／消灯制御する場合について説明したが、主制御回路１１、賞球制御回路（図示していない。）等他の制御回路で点灯／消灯制御してもよい。この場合には、表示手段を点灯／消灯制御する主制御回路１１や賞球制御回路等が、本発明の「表示制御手段」を含み、主制御回路１１が設けられている主制御基板１０ａや賞球制御回路が設けられている賞球制御基板が、本発明の「表示制御基板」に相当する。
【００３９】
本発明は、以下のように構成することができる。
例えば、「（態様１）表示手段と、表示制御基板とを備え、表示制御基板には、第１のグループの出力端子と、第２のグループの出力端子と、第１のグループの出力端子に接続される第１のスイッチング回路と、第２のグループの出力端子に接続される第２のスイッチング回路と、第１及び第２のスイッチング回路を遊技状態に応じて制御する表示制御手段とが配設され、第１のグループの出力端子は、表示手段をダイナミック点灯させるダイナミック点灯回路のコモン側、もしくは表示手段をスタティック点灯させるスタティック点灯回路のいずれかに接続され、第２のグループの出力端子は、表示手段をダイナミック点灯させるダイナミック点灯回路のデータ側、もしくは表示手段をスタティック点灯させるスタティック点灯回路のいずれかに接続され、表示制御手段は、第１のグループの出力端子がダイナミック点灯回路のコモン側、もしくはスタティック点灯回路のどちらに接続されているか、また、第２のグループの出力端子がダイナミック点灯回路のデータ側、もしくはスタティック点灯回路のどちらに接続されているかに対応して第１及び第２のスイッチング回路を制御する遊技機。」として構成することができる。
態様１の遊技機では、遊技機の出力端子は、表示手段をダイナミック点灯させるダイナミック点灯回路のコモン側、もしくは表示手段をスタティック点灯させるスタティック点灯回路、もしくは表示手段をダイナミック点灯させるダイナミック点灯回路のデータ側のいずれかに接続される。したがって、表示手段の数や表示態様等の仕様変更に対して、同じ表示制御基板により容易に対応することができ、また、全ての出力端子が、スタティック点灯回路あるいはダイナミック点灯回路に接続されるため、表示制御基板に設けられているスイッチング回路等を有効に利用することができる。さらに、表示制御基板の出力端子に空き端子が発生しないため、空き端子への不正な信号の入力等を防止することもできる。
ここで、ダイナミック点灯回路にコモン端子やデータ端子が設けられている場合には、ダイナミック点灯回路の“コモン側に接続する。”とは、“コモン端子に接続する。”ことを意味する。また、ダイナミック点灯回路の“データ側に接続する。”とは、“データ端子に接続する。”ことを意味する。
「（態様２）態様１に記載の遊技機であって、第１のスイッチング回路として第１導電型のスイッチング素子を用い、第２のスイッチング回路として第２導電型のスイッチング素子を用いる遊技機。」として構成することができる。
態様２の遊技機では、第１、第２のスイッチング回路として、第１導電型、第２導電型のスイッチング素子を用いるため、回路構成が簡単である。
「（態様３）態様３に記載の遊技機であって、第１導電型のスイッチング素子として、ＮＰＮ型トランジスタもしくはＰＮＰ型トランジスタの一方を用い、第２導電型のスイッチング素子として、ＮＰＮ型トランジスタもしくはＰＮＰ型トランジスタの他方を用いる遊技機。」として構成することができる。
態様３の遊技機では、安価なスイッチング素子を用いることができるので、遊技機を安価に構成することができる。
【００４０】
【発明の効果】
以上説明したように、請求項１に記載の遊技機を用いれば、仕様変更等に対する自由度が高まり、表示制御装置を有効に利用することができる。
【図面の簡単な説明】
【図１】本発明の遊技機で用いる主制御装置１０、表示制御装置２０、表示手段の一実施の形態の概略図である。
【図２】表示制御装置２０、表示基板３０ａの一実施の形態の回路図である。
【図３】図２に示す表示制御装置２０から表示基板３０ａへの出力のタイミングチャート図、及び接続されているＬＥＤ等の点灯／消灯状態を示す図である。
【図４】表示基板３０ａの構成が異なる場合の回路図である。
【図５】図４に示す表示制御装置２０から表示基板３０ａへの出力のタイミングチャート図、及び接続されているＬＥＤ等の点灯／消灯状態を示す図である。
【図６】表示基板３０ａの構成が異なる場合の回路図である。
【図７】図６に示す表示制御装置２０から表示基板３０ａへの出力のタイミングチャート図、及び接続されているＬＥＤ等の点灯／消灯状態を示す図である。
【図８】表示基板３０ａの構成が異なる場合の回路図である。
【図９】図８に示す表示制御装置２０から表示基板３０ａへの出力のタイミングチャート図、及び接続されているＬＥＤ等の点灯／消灯状態を示す図である。
【図１０】従来技術を示す図である。
【図１１】従来技術を示す図である。
【符号の説明】
１０              主制御装置
２０              表示制御装置
２０ａ            表示制御基板
２２ａ〜２２ｍ    スイッチング回路
３０              表示装置
３０ａ            表示基板
３１〜３３、３６  ７セグメント表示器
ＴＥ１〜ＴＥ１２  出力端子
ＴＬ１〜ＴＬ１２  入力端子
【図１】
2004344525.tif 000003
【図２】
2004344525.tif 000004
【図３】
2004344525.tif 000005
【図４】
2004344525.tif 000006
【図５】
2004344525.tif 000007
【図６】
2004344525.tif 000008
【図７】
2004344525.tif 000009
【図８】
2004344525.tif 000010
【図９】
2004344525.tif 000011
【図１０】
2004344525.tif 000012
【図１１】
2004344525.tif 000013
【手続補正書】
【提出日】平成16年5月19日(2004.5.19)
【手続補正１】
【補正対象書類名】明細書
【補正対象項目名】０００４
【補正方法】変更
【補正の内容】
【０００４】
【特許文献１】
特許第２８６８７１７号公報